(57)【要約】【課題】簡単な構造で電池パックのガタつきを抑えながら離れた場所にあるメイン基板を導電部に導通させる。【解決手段】筐体３に一体成形した金属フレーム３ａ（導通部）とメイン基板６との間に収容された電池パック５の外周に導電性部材９を貼り付ける。金属フレーム３ａに対応する導電性部材９と電池パック５の外周との間にクッション部材８を貼り付け、クッション部材８で押圧された導電性部材９によって、メイン基板６と金属フレーム３ａとを導通させる。【選択図】図１
2015005478.tif 000002
【特許請求の範囲】
【請求項１】
導電性材料よりなる導電部が一体成形された筐体及びメイン基板を有する電子機器において、
上記導電部と上記メイン基板との間に収容された電池パックと、
上記電池パックの外周の少なくとも一部に貼り付けられた導電性部材と、
上記導電部に対応する上記導電性部材と上記電池パックの外周との間に貼り付けられたクッション部材とを備え、
上記クッションに押さえ付けられた状態で、上記導電性部材によって、上記メイン基板と上記導電部とが導通している
ことを特徴とする電子機器。
【請求項２】
請求項１に記載の電子機器において、
上記導電部と上記メイン基板との間に挟持部材が挟み込まれており、
上記挟持部材に上記導電性部材が貼り付けられている
ことを特徴とする電子機器。
【請求項３】
請求項２に記載の電子機器において、
上記挟持部材は、上記筐体側の電子部品と上記メイン基板とを電気的に接続するフレキシブル基板であり、
上記導電性部材は、導電性の粘着テープよりなる
ことを特徴とする電子機器。
【請求項４】
請求項１から３までのいずれか１つに記載の電子機器において、
上記電池パック又は上記導電部における、上記導電性部材が当接する部分には、突部が形成されている
ことを特徴とする電子機器。
【発明の詳細な説明】
【技術分野】
【０００１】
本発明は、導電性材料よりなる導電部を有する筐体及びメイン基板を有する、携帯電話機などの電子機器に関するものである。
【背景技術】
【０００２】
従来より、基板と、電源手段を内蔵するバッテリパックとを実装し、バッテリパックを電源として動作する小型電子機器において、バッテリパックの表面に敷設した導電性部材を基板のグランドプレーンとして使用することは知られている（例えば、特許文献１参照）。
【先行技術文献】
【特許文献】
【０００３】
【特許文献１】特開平１０−２７００００号公報
【発明の概要】
【発明が解決しようとする課題】
【０００４】
しかしながら、従来の電子機器では、筐体側に筐体側接触端子を設け、基板側に基板側接触端子を設ける必要があるため、両端子分の厚みを確保する必要がある。
【０００５】
また、バッテリパックを定位置に固定するためにレール状のガイドを設け、このガイドにバッテリパックを挿入するための開口を筐体に設ける必要があり、構造及びその組立が複雑となる。
【０００６】
本発明は、かかる点に鑑みてなされたものであり、その目的とするところは、簡単な構造で電池パックのガタつきを抑えながら離れた場所にあるメイン基板を筐体の導電部に導通させることにある。
【課題を解決するための手段】
【０００７】
上記の目的を達成するために、この発明では、電池パックに導電性部材とクッション部材とを貼り付けるようにした。
【０００８】
具体的には、本発明では、導電性材料よりなる導電部が一体成形された筐体及びメイン基板を有する電子機器を前提とする。
【０００９】
そして、上記電子機器は、
上記導電部と上記メイン基板との間に収容された電池パックと、
上記電池パックの外周の少なくとも一部に貼り付けられた導電性部材と、
上記導電部に対応する上記導電性部材と上記電池パックの外周との間に貼り付けられたクッション部材とを備え、
上記クッションに押さえ付けられた状態で、上記導電性部材によって、上記メイン基板と上記導電部とが導通している。
【００１０】
上記の構成によると、電池パックの外周に貼り付けた導電性部材にクッション部材を押し付けたことにより、クッション部材の反発力で導電性部材が筐体の導電部に押し付けられるので、確実に導通が行われると共に、電池パックのガタつきが防止される。また、クッション部材は、導電部に対応する部分に設ければよく、電池パックの他の領域には設ける必要がないので、厚みの増加が抑えられる。
【発明の効果】
【００１１】
以上説明したように、本発明によれば、電池パックの外周に導電性部材を貼り付け、導電部に対応する導電性部材と電池パックの外周との間にクッション部材を貼り付けたことにより、簡単な構造で電池パックのガタつきを抑えながら離れた場所にあるメイン基板を導通させることができる。
【図面の簡単な説明】
【００１２】
【図１】電池パック及びその周辺の導通構造を説明するための断面図である。
【図２】本発明の実施形態に係る携帯電話機を示し、（ａ）が正面図で、（ｂ）が背面図である。
【図３】携帯電話機を示す分解斜視図である。
【図４】図２（ａ）のIV−IV線拡大断面図である。
【図５】電池パックを示し、（ａ）が正面側から見た斜視図で、（ｂ）が背面側から見た斜視図である。
【図６】本発明の実施形態に係る変形例１を示す図１相当図である。
【図７】本発明の実施形態に係る変形例２を示す図１相当図である。
【図８】本発明の実施形態に係る変形例３を示す図１相当図である。
【図９】本発明の実施形態に係る変形例４を示す図１相当図である。
【図１０】本発明の実施形態に係る変形例５を示す図１相当図である。
【発明を実施するための形態】
【００１３】
以下、本発明の実施形態を図面に基づいて説明する。
【００１４】
図２〜図４は、本発明の実施形態の電子機器としての携帯電話機１を示し、この携帯電話機１は、正面側に液晶ディスプレイや有機ＥＬディスプレイを有する表示部２が収容された筐体３と、この筐体３を背面側から覆うリアカバー４とを備えている。表示部２は、タッチパネルを備えている。図１に拡大して示すように、筐体３は、導電性材料よりなる導電部としての薄板状の金属フレーム３ａがインサート成形されている。金属フレーム３ａは、ステンレス鋼、アルミニウム合金、マグネシウム合金等の薄板で構成され、金属フレーム３ａの正面側と筐体３の樹脂部分とで形成された矩形状の表示部収容部３ｂに表示部２が収容されている。筐体３に形成した電池用開口３ｃと金属フレーム３ａとで形成された矩形状の凹部に矩形板状の電池パック５が収容されている。電池パック５とリアカバー４との間には、携帯電話機１の制御を行うメイン基板６が収容されている。表示部２の背面下側からメイン基板６には、挟持部材としてのフレキシブル基板７が延びている。本実施形態では、このフレキシブル基板７は、電子部品としてのタッチパネル用のものであり、このフレキシブル基板７により、タッチパネルとメイン基板６との間で信号のやりとりが行われるようになっている。
【００１５】
そして、電池パック５の外周の一部には、クッション部材８が貼り付けられている。クッション部材８は、例えば、両面テープなどの接着層の間にクッション性のあるポリウレタンフォームやポリエチレンフォームが積層されたものよりなり、例えば背面から見て電池パック５の右下及び左上の略対角線上に貼り付けられている。
【００１６】
これに対応して図５に示すように、電池パック５の外周に導電性部材９が貼り付けられている。この導電性部材９は、導電性の粘着テープよりなる。例えば、上側の導電性部材９は、図５（ａ）に示すように、電池パック５の正面上側に広がり、図５（ｂ）に示すように、背面側へ背面から見て左上に折り曲げられるように貼り付けられている。下側の導電性部材９は、図５（ａ）に示すように、電池パック５の正面側から見て左下から背面側へ延び、図５（ｂ）に示すように、背面から見て右下に折り曲げられるように貼り付けられている。
【００１７】
また、図１に実際よりも厚さを誇張して描くように、フレキシブル基板７の正面側端部両側にも導電性部材９が貼り付けられている。そして、電池パック５の正面側に貼り付けたクッション部材８が、フレキシブル基板７ごと導電性部材９を金属フレーム３ａに押し付け、金属フレーム３ａと導電性部材９の正面側とが導通し、電池パック５の側面を通って背面側に折り曲げられた導電性部材９の背面側がメイン基板６に導通する。図示しないが、上側の導電性部材９については、フレキシブル基板７が挟み込まれていないものの、同様にクッション部材８によって押し付けられた導電性部材９により、メイン基板６と金属フレーム３ａとが導通している。
【００１８】
このように、電池パック５の外周に貼り付けた導電性部材９にクッション部材８を押し付けたことにより、クッション部材８の反発力で導電性部材９が確実に金属フレーム３ａに押し付けられるので、確実に導通が行われると共に、電池パック５のガタつきが防止される。
【００１９】
また、クッション部材８は、金属フレーム３ａに対応（対向）する部分に設ければよく、電池パック５の他の領域には設ける必要がないので、厚みの増加が最小限に抑えられる。
【００２０】
また、金属フレーム３ａとメイン基板６との間に挟み込まれるフレキシブル基板７のような別の部材があっても、その部材に導電性部材９を貼り付けることで、メイン基板６と金属フレーム３ａとの導通を阻害することなく、むしろ組立も容易となる。また、もともと必要であるフレキシブル基板７に導電性部材９を貼り付ければよいので、部品点数が増えないという点でも有利である。
【００２１】
また電池パック５の略対角線上の金属フレーム３ａ側にクッション部材８を貼り付けたことにより、電池パック５が安定してガタつかない。
【００２２】
したがって、本実施形態に係る携帯電話機１によると、電池パック５の外周に導電性部材９を貼り付け、金属フレーム３ａに対応する導電性部材９と電池パック５の外周との間にクッション部材８を貼り付けたことにより、簡単な構造で電池パック５のガタつきを抑えながら離れた場所にあるメイン基板６を金属フレーム３ａに導通させることができる。
【００２３】
−実施形態の変形例１−
図６は本発明の実施形態の変形例１に係る図１相当図であり、金属フレーム３ａの形状が異なる点で上記実施形態と異なる。なお、以下の各変形例では、図１〜図５と同じ部分については同じ符号を付してその詳細な説明は省略する。
【００２４】
金属フレーム３ａにおける、導電性部材９が当接する部分には、筐体側突部１０が形成されている。図示しないが、上側の導電性部材９が当接する金属フレーム３ａ部分についても筐体側突部１０を設けるとよい。この筐体側突部１０は、金属フレーム３ａの金型での成形時に一体に設けるとよい。
【００２５】
この構成によると、筐体側突部１０がクッション部材８を押さえ付けることで、特に筐体側突部１０の周辺での導電性部材９による導通がさらに確実となる。
【００２６】
−実施形態の変形例２−
図７は本発明の実施形態の変形例２に係る図１相当図であり、電池パック５の形状が異なる点で上記実施形態と異なる。
【００２７】
電池パック５における、導電性部材９が当接する部分には、電池側突部１１が形成されている。例えば、電池側突部１１は、電池パック５を覆う樹脂製カバーに一体に突設すればよい。本変形例では、電池パック５の正面側と背面側の両方に電池側突部１１が設けられている。この構成によると、電池パック５の電池側突部１１がクッション部材８を押さえ付けると共に、メイン基板６側でも導電性部材９を押さえ付けるので、さらに導電性部材９による導通が確実となる。
【００２８】
−実施形態の変形例３−
図８は本発明の実施形態の変形例３に係る図１相当図であり、クッション部材８の形状が異なる点で上記実施形態と異なる。
【００２９】
クッション部材８は、電池パック５の側面まで延びている。このことで、さらに電池パック５が電池用開口３ｃ内でしっかりと保持され、電池パック５のグラつきが、さらに確実に防止される。
【００３０】
−実施形態の変形例４−
図９は本発明の実施形態の変形例４に係る図１相当図であり、電池パック５及び金属フレーム３ａの形状が異なる点で上記実施形態と異なる。
【００３１】
電池パック５のクッション部材８及び導電性部材９を貼り付ける部分には、突条又は溝状の罫書き線１２が設けられている。同様に金属フレーム３ａの導電性部材９が当接する部分には、突条又は溝状の罫書き線１２が一体成形されている。このことで、クッション部材８及び導電性部材９の貼り付け位置が明確となり、組付が容易であると共に、確実に位置決めされることで、導通が確実に行われる。
【００３２】
−実施形態の変形例５−
図１０は本発明の実施形態の変形例５に係る図１相当図であり、電池パック５及び金属フレーム３ａの形状が異なる点で上記実施形態と異なる。
【００３３】
本変形例では、電池パック５のクッション部材８及び導電性部材９を貼り付ける部分を凹陥して段差部１３を形成している。この段差部１３にクッション部材８及び導電性部材９を貼り付ければよいので、貼り付けが容易であると共に、導通が確実に行われる。
【００３４】
（その他の実施形態）
本発明は、上記実施形態について、以下のような構成としてもよい。
【００３５】
すなわち、上記実施形態では、挟持部材は、タッチパネル用のフレキシブル基板７としたが、これに限定されず、金属フレーム３ａなどの導電部とメイン基板６との間に挟み込まれる部材であれば何でもよい。このような挟持部材に直接に導電性部材９を貼り付けることで、挟持部材があってもメイン基板６と導電部との導通が行える。
【００３６】
上記実施形態では、クッション部材８を電池パック５の略対角線上に配置したが、上側又は下側のいずれか一方にのみ設けてもよい。
【００３７】
上記実施形態では、電子機器は、携帯電話機１としたが、ＰＨＳ（Personal Handy-phone System ）、ＰＤＡ(Personal DigitalAssistant)、スマートフォン、パソコン、モバイルツール、電子辞書、電卓、ゲーム機等であってもよく、液晶ディスプレイ、液晶テレビ、ブルーレイ（ＤＶＤ）レコーダ等であってもよい。
【００３８】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３９】
１      携帯電話機（携帯端末）
２      表示部
３      筐体
３ａ    金属フレーム（導通部）
３ｂ    表示部収容部
３ｃ    電池用開口
４      リアカバー
５      電池パック
６      メイン基板
７      フレキシブル基板
８      クッション部材
９      導電性部材
１０      筐体側突部
１１      電池側突部
１２      罫書き線
１３      段差部
【図１】
2015005478.tif 000003
【図２】
2015005478.tif 000004
【図３】
2015005478.tif 000005
【図４】
2015005478.tif 000006
【図５】
2015005478.tif 000007
【図６】
2015005478.tif 000008
【図７】
2015005478.tif 000009
【図８】
2015005478.tif 000010
【図９】
2015005478.tif 000011
【図１０】
2015005478.tif 000012